(57)【要約】【課題】キャップをボスに取り付ける際の汎用性を高めることができ、且つ、コスト増を抑えてボスの螺子穴に水が浸入するのを防ぐことができる建設機械のカウンタウエイトを提供する。【解決手段】油圧ショベルの後部にはカウンタウエイト７が設けられている。このカウンタウエイト７は、ウエイト本体７１と、ウエイト本体７１の上面７１ａから突設された複数のボス７２と、各ボス７２に着脱可能に取り付けられた複数のキャップ７３とを備えている。キャップ７３は、全体が弾性部材により形成されるとともに、ボス７２の螺子穴７２３に螺合可能な螺合部７３０と、螺合部７３０の上側に設けられたフランジ７３３とを備えている。フランジ７３３の径方向外端部の下面７３３ａには、キャップ７３の螺合部７３０がボス７２の螺子穴７２３に螺合した状態でボス７２の突出端面７２１に密着する突起７３５が全周にわたって設けられている。【選択図】図２
2014084663.tif 000002
【特許請求の範囲】
【請求項１】
建設機械の後部に吊具を使用して着脱可能に装着されるカウンタウエイトにおいて、
ウエイト本体と、このウエイト本体の下面を除く外面から突設されたボスと、このボスに着脱可能に取り付けられるキャップとを備え、
前記ボスは、前記ウエイト本体の外部に露出している突出端面に、前記吊具が螺合される螺子穴が設けられ、
前記キャップは、全体が弾性部材により形成されるとともに、前記ボスの前記螺子穴に螺合可能な螺合部と、この螺合部の上側に設けられたフランジとを備え、前記フランジの径方向外端部の下面には、前記キャップの前記螺合部が前記ボスの前記螺子穴に螺合した状態で前記ボスの前記突出端面に密着する突起が全周にわたって設けられていることを特徴とする建設機械のカウンタウエイト。
【請求項２】
請求項１に記載の建設機械のカウンタウエイトにおいて、
前記キャップの前記螺合部の下面に凹部を設けたことを特徴とする建設機械のカウンタウエイト。
【発明の詳細な説明】
【技術分野】
【０００１】
本発明は、油圧ショベル等の建設機械の後部に吊具を使用して着脱可能に装着されるカウンタウエイトに関する。
【背景技術】
【０００２】
従来より、油圧ショベル等の建設機械のカウンタウエイトは、建設機械の後部にアイボルト等の吊具を使用して着脱可能に装着されている（例えば特許文献１参照）。
【０００３】
特許文献１のカウンタウエイトは、ウエイト本体と、ウエイト本体の上面から突設されたボスと、ボスに着脱可能に取り付けられたキャップとを備えている。
【０００４】
ボスは、ウエイト本体の外部に露出している突出端面（先端面）に、吊具が螺合される螺子穴が設けられている。カウンタウエイトを装着するときには、螺子穴に吊具を螺合し、この吊具にワイヤーロープを掛けてカウンタウエイトを吊持して行う。
【０００５】
キャップは、ボスの螺子穴に螺合可能な螺合部と、螺合部の上側に設けられたフランジとを備えている。このフランジは、螺合部が螺子穴に螺合した状態でボスを覆うように形成されている。これにより、特許文献１のカウンタウエイトでは、螺子穴へ水が浸入するのを防ぐことが可能になり、螺子穴が水によって腐食されたり、螺子穴に浸入した水が凍結してキャップが破損してしまうことがなく、耐久性を長期間に渡って維持することが可能になっている。
【先行技術文献】
【特許文献】
【０００６】
【特許文献１】特開２００８−２５５６９８号公報
【発明の概要】
【発明が解決しようとする課題】
【０００７】
しかしながら、特許文献１のカウンタウエイトでは、キャップのフランジが螺合部と一体に形成されているので、螺合部をボスの螺子穴にねじ込むときにはフランジも一緒に回転する。そのため、ボスの形状が上方から視たときに四角形等の角を有する形状の場合は、フランジがボスの角と当たってしまい螺合部を螺子穴にねじ込むことができず、キャップをボスに取り付けることができない。したがって、キャップの取り付けが可能なボスは、上方から視たときの形状が円形のものに限定されるため、取り付けの際の汎用性が低い。
【０００８】
そこで、フランジをボスを覆わないように形成してＯリング等のシール材をフランジとボスの突出端面との間に介在させて螺子穴へ水が浸入するのを防ぐ方法も考えられる。しかし、この場合には部品点数が増加するのでコストが増加するおそれがある。
【０００９】
本発明は以上の問題を鑑みて成されたものであり、キャップをボスに取り付ける際の汎用性を高めることができ、且つ、コスト増を抑えてボスの螺子穴に水が浸入するのを防ぐことができる建設機械のカウンタウエイトを提供することを目的とする。
【課題を解決するための手段】
【００１０】
本発明者等は、鋭意研究の結果、前記課題を解決するために以下のような建設機械のカウンタウエイトを採用した。
【００１１】
本発明の建設機械のカウンタウエイトは、
建設機械の後部に吊具を使用して着脱可能に装着されるカウンタウエイトにおいて、
ウエイト本体と、このウエイト本体の下面を除く外面から突設されたボスと、このボスに着脱可能に取り付けられるキャップとを備え、
前記ボスは、前記ウエイト本体の外部に露出している突出端面に、前記吊具が螺合される螺子穴が設けられ、
前記キャップは、全体が弾性部材により形成されるとともに、前記ボスの前記螺子穴に螺合可能な螺合部と、この螺合部の上側に設けられたフランジとを備え、前記フランジの径方向外端部の下面には、前記キャップの前記螺合部が前記ボスの前記螺子穴に螺合した状態で前記ボスの前記突出端面に密着する突起が全周にわたって設けられていることを特徴とする。
【発明の効果】
【００１２】
本発明の建設機械のカウンタウエイトでは、キャップのフランジをボスを覆わないように形成した。これによりボスの形状が上方から視たときに四角形等の角を有する形状であっても、キャップの螺合部をボスの螺子穴にねじ込むときにはフランジがボスの角と当たることがない。したがって、ボスの形状にとらわれずにキャップをボスに取り付けることが可能になる。よって、本発明の建設機械のカウンタウエイトは、キャップをボスに取り付ける際の汎用性を高めることができる。
【００１３】
また、本発明の建設機械のカウンタウエイトでは、キャップ全体を弾性部材で形成した。これにより弾性部材が有する弾性力によりキャップの螺合部とボスの螺子穴との密着性を従来よりも上げることができ、シール部材を使用しなくても螺子穴に水が浸入するのを防ぐことが可能になる。よって、本発明の建設機械のカウンタウエイトは、コスト増を抑えてボスの螺子穴に水が浸入するのを防ぐこともできる。
【図面の簡単な説明】
【００１４】
【図１】本発明の一実施の形態を示す油圧ショベルの左側面図である。
【図２】同実施の形態のカウンタウエイトの要部の断面図である。
【図３】同実施の形態のボスの断面図である。
【図４】同実施の形態のキャップの断面図である。
【発明を実施するための形態】
【００１５】
以下、本発明の実施の形態を図にしたがって説明する。
【００１６】
図１は、本発明の一実施の形態を示す油圧ショベル１の左側面図である。この油圧ショベル１は、走行体２と、走行体２上に旋回可能に設けられた旋回体３と、旋回体３の前側に設けられた掘削作業等を行う作業装置４とを備えている。
【００１７】
旋回体３上には、運転室５や機械室６が設けられている。機械室６の後側（油圧ショベル１の後部）には本発明のカウンタウエイト７が設けられている。このカウンタウエイト７は、機械室６の後側に吊具を使用して着脱可能に装着されるものである。
【００１８】
図２は、カウンタウエイト７の要部の断面図である。このカウンタウエイト７は、ウエイト本体７１と、ウエイト本体７１の上面７１ａから突設された複数のボス７２と、各ボス７２に着脱可能に取り付けられた複数のキャップ７３とを備えている。図２では、一組のボス７２およびキャップ７３を示している。
【００１９】
ウエイト本体７１は、表面側を形成する鋼板からなるアウタシェル７１１と、アウタシェル７１１内に充填されたコンクリート等の重量物７１２とから構成されている。
【００２０】
複数のボス７２は、図示しないが、ウエイト本体７１の上面７１ａにおいて左右に離間して配置されている。図３は、ボス７２の縦断面図である。各ボス７２は、金属により円筒状に形成されており、ウエイト本体７１に一体的に結合されている。
【００２１】
また、各ボス７２は、ウエイト本体７１の上面７１ａから所定の長さだけ突出しており、ウエイト本体７１から露出している突出端面７２１および外周面７２２を有している。
【００２２】
突出端面７２１の中央部分には螺子穴７２３が設けられている。この螺子穴７２３は、キャップ７３やアイボルト等の吊具（図示せず）と螺合するものである。この螺子穴７２３は、突出端面７２１の中央部分から下方へボス７２の中間部分まで延びて形成されている。螺子穴７２３の内壁面には雌螺子７２４が形成されている。
【００２３】
カウンタウエイト７を装着するときには、この螺子穴７２３に吊具を螺合し、この吊具にワイヤーロープを掛けてカウンタウエイト７を吊持して行う。
【００２４】
また、螺子穴７２３の下側には、吊具またはキャップ７３を受けるための受け穴７２５が連続して設けられている。この受け穴７２５の径は、螺子穴７２３の径よりも小さく設定されている。
【００２５】
図４は、キャップ７３の断面図である。各キャップ７３は、弾性部材により断面がＴ字型に形成されている。また、各キャップ７３は、基部７３１と、基部７３１の外周面全体に設けられた雄螺子７３２と、基部７３１の上側に設けられたフランジ７３３とを備えている。基部７３１と雄螺子７３２とにより本発明の螺合部７３０が構成されている。
【００２６】
基部７３１は円柱状に形成されている。基部７３１の下面７３１ａ（螺合部７３０下面７３１ａ）の中央部分には、凹部７３４が上方へ延びて設けられている。雄螺子７３２は、図２に示すように、ボス７２の螺子穴７２３の雌螺子７２４と螺合するように形成されている。
【００２７】
フランジ７３３は円板状に形成されている。フランジ７３３の中央部分には、上記の基部７３１が結合されている。フランジ７３３の径方向外端部の下面７３３ａには、突起７３５が全周にわたって設けられている。
【００２８】
キャップ７３をボス７２に取り付けるときには、キャップ７３のフランジ７３３を持って、螺合部７３０をボス７２の螺子穴７２３にねじ込む。これにより、図２に示すように螺合部７３０の雄螺子７３２が螺子穴７２３の雌螺子７２４と螺合してキャップ７３がボス７２に取り付けられる。ボス７２からキャップ７３を外すときには、キャップ７３のフランジ７３３を持って、キャップ７３をねじ込んだときと逆方向に回して外す。
【００２９】
図２に示すようにキャップ７３をボス７２に取り付けた状態（キャップ７３の螺合部７３０がボス７２の螺子穴７２３に螺合した状態）では、フランジ７３３は、ボス７２の突出端面７２１よりも小さくなるように形成されている。つまり、フランジ７３３は、ボス７２（突出端面７２１および外周面７２２）を覆わないように形成されている。
【００３０】
したがって、ボス７２の形状が、上方から視たときに本実施の形態のように円形状ではなく四角形等の角を有する形状であっても、キャップ７３の螺合部７３０をボス７２の螺子穴７２３にねじ込むときにはフランジ７３３がボス７２の角と当たることがない。したがって、ボス７２の形状にとらわれずにキャップ７３をボス７２に取り付けることが可能になる。よって、本実施の形態のカウンタウエイト７は、キャップ７３をボス７２に取り付ける際の汎用性を高めることができる。
【００３１】
また、本実施の形態のカウンタウエイト７は、キャップ７３全体を弾性部材で形成したので、弾性部材が有する弾性力によりキャップ７３の螺合部７３０とボス７２の螺子穴７２３との密着性を従来よりも上げることができ、シール部材（別部材）を使用しなくても螺子穴７２３に水が浸入するのを防ぐことが可能になる。よって、本実施の形態のカウンタウエイト７は、コスト増を抑えてボス７２の螺子穴７２３に水が浸入するのを防ぐこともできる。この結果、耐久性を従来よりもさらに高めることができる。
【００３２】
また、本実施の形態のカウンタウエイト７は、キャップ７３のフランジ７３３をボス７２の突出端面７２１よりも小さく形成したので、従来よりもフランジ７３３の大きさが小さくなり、キャップ７３の製造にかかる材料費を抑えることができる。よって、本実施の形態のカウンタウエイト７は、低コスト化を図ることができる。
【００３３】
また、本実施の形態のカウンタウエイト７では、図２に示すようにキャップ７３をボス７２に取り付けた状態において、キャップ７３のフランジ７３３の下面７３３ａに全周にわたって設けられている突起７３５は、ボス７２の突出端面７２１に密着するように形成されている。したがって、キャップ７３とボス７２との密着性をさらに上げることが可能になる。よって、本実施の形態のカウンタウエイト７は、ボス７２の螺子穴７２３への水の浸入をさらに抑えることができ、耐久性をさらに高めることができる。
【００３４】
また、本実施の形態のカウンタウエイト７では、キャップ７３の螺合部７３０の下面７３１ａに凹部７３４を設けた。したがって、螺子穴７２３に水が浸入して螺子穴７２３が水で満たされても、凹部７３４には空気が溜まっているので水の浸入が抑えられる。また、螺子穴７２３と螺合部７３０との螺合部分が凍結してキャップ７３の外側から中心側に向かって圧力がかかっても、その圧力が凹部７３４で開放されるのでキャップ７３が破損することはない。よって、本実施の形態のカウンタウエイト７は、耐久性をさらに高めることができる。
【００３５】
以上、本発明にかかる実施の形態を例示したが、上記の実施の形態は本発明の内容を限定するものではない。また、本発明の請求項の範囲を逸脱しない範囲であれば、各種の変更等は可能である。
【００３６】
例えば、本実施の形態のカウンタウエイト７では、キャップ７３のフランジ７３３をボス７２の突出端面７２１よりも小さく形成したが、ボスを覆わなければフランジを突出端面よりも大きく形成しても良い。
【００３７】
また、本実施の形態のカウンタウエイト７では、ボス７２とキャップ７３の設置位置をウエイト本体７１の上面７１ａに設定したが、ウエイト本体７１の下面を除く外面であれば上面７１ａ以外に設置位置を設定しても良い。
【００３８】
また、ボス７２とキャップ７３の個数は特に限定しなくても良い。また、キャップ７３の凹部７３４や突起７３５の個数と設置位置も特に限定しなくても良い。
【符号の説明】
【００３９】
１    油圧ショベル
７    カウンタウエイト
７１   ウエイト本体
７１ａ    上面
７２    ボス
７３    キャップ
７２１    突出端面
７２３    螺子穴
７３０    螺合部
７３１ａ    下面
７３３    フランジ
７３３ａ    下面
７３４    凹部
７３５    突起
【図１】
2014084663.tif 000003
【図２】
2014084663.tif 000004
【図３】
2014084663.tif 000005
【図４】
2014084663.tif 000006